(57)【要約】【課題】一かたまりの同報データを複数のパケットに分割して送信側から繰り返し送信し、受信側では該パケットの同報データを先頭部分から再生して出力する同報通信システム及びその受信装置に関し、通信時間を短縮して余分な通信料の発生を防ぐ。【解決手段】基地局１−１０において、パケット生成部１−１１は、一かたまりの情報データを複数個のパケットに分割したパケットを生成し、パケット情報付加部１−１２は、各パケットに、全パケット数及び何番目の情報データを格納したかを示すパケット番号を含むパケット情報を追加する。移動端末１−２０では、先頭のパケットの到来まで待ち受けることなく受信し、復調部１−２２で復調した各受信パケットから、パケット情報処理部１−２３で全パケット数及びパケット番号を含むパケット情報を抽出し、並べ替え処理部１−２４で該パケット番号を基に、全受信パケットを順番に並べ替えて出力する。【選択図】　　　図１
2004015581.tif 000002
【特許請求の範囲】
【請求項１】
送信装置から一かたまりの同報データを複数のパケットに分割して繰り返し送信し、受信装置で該パケットを受信し、その同報データを先頭部分から再生して出力する同報通信システムにおいて、
前記送信装置は、前記一かたまりの同報データを構成する全パケット数及び各パケットが搭載する分割同報データの順番を示すパケット番号を含むパケット情報を各パケットに付加するパケット情報付加部を備え、
前記受信装置は、前記送信装置から受信したパケットから、パケット番号を含むパケット情報を抽出するパケット情報処理部と、該パケット情報を基に、受信した同報データの並び替えを行う並べ替え処理部とを備えたことを特徴とする同報通信システム。
【請求項２】
前記送信装置は、前記各パケットに誤り検出符号を付加する誤り検出符号付加部を備え、前記受信装置は、受信した各パケットから該誤り検出符号を抽出し、該誤り検出符号を基に前記パケット情報の誤りを検出する誤り検出部を備えたことを特徴とする請求項１記載の同報通信システム。
【請求項３】
前記送信装置は、誤り訂正符号により符号化する誤り訂正符号化部を備え、前記受信装置は、該誤り訂正符号の復号化により誤り訂正を行う誤り訂正復号化部を備えたことを特徴とする請求項１又は２記載の同報通信システム。
【請求項４】
送信装置から複数のパケットに分割して繰り返し送信される一かたまりの同報データを受信し、該同報データを先頭部分から再生して出力する受信装置において、
受信した各パケットから、前記一かたまりの同報データを構成する全パケット数及び該パケットが搭載する分割同報データの順番を示すパケット番号を含むパケット情報を抽出するパケット情報処理部と、該パケット情報を基に、受信した同報データの並び替えを行う並べ替え処理部とを備えたことを特徴とする同報通信システムの受信装置。
【請求項５】
前記受信装置は、前記並び替えを行った同報データを一時記憶するメモリと、該メモリから読み出した該同報データに基づいて、該受信装置を含む送受信装置の機能構成又は設定パラメータを変更する機能設定制御部を備えたことを特徴とする請求項４記載の同報通信システムの受信装置。
【発明の詳細な説明】
【０００１】
【発明の属する技術分野】
本発明は、一かたまりの同報データを複数のパケットに分割して送信側から繰り返し送信し、受信側では該パケットを受信し、その同報データを先頭部分から再生して出力する同報通信システム及びその受信装置に関する。
【０００２】
送信側から連続パケットデータとして繰り返し送信される一かたまりの情報は、例えば、不特定多数に対して報知する通報・案内情報、或るグループに属する複数の受信者に対して送信するブロードキャストデータ、美術展等における音声ガイダンス情報、受信装置自体の機能設定等を変更する設定データ等であり、それらはＷ−ＣＤＭＡの移動通信システム等の無線携帯装置等や情報端末機器等により受信再生される。
【０００３】
【従来の技術】
繰り返し送信される連続パケットデータを受信して再生する従来の手法を、図６を参照して説明する。送信側から一かたまりの情報が第１番目から第ｎ番目までのパケットに分割され、同図に示すように連続的に送出され、また、第ｎ番目のパケットの送出後に第１番目のパケットから繰り返して送出される。
【０００４】
ここで、受信装置で受信を開始した時刻がｔ１であったとすると、この時刻ｔ１では連続データの先頭ではなく途中のデータである第ｍ番目のパケットの送信最中であるため、受信装置は、連続データの先頭部分の送出が開始する時刻ｔ２まで受信を待機し、第１番目のパケットが送出される時刻ｔ２から受信を開始して、連続データの最後のデータである第ｎ番目のパケットが受信される時刻ｔ４までパケットデータを受信して再生する。
【０００５】
【発明が解決しようとする課題】
従来の連続パケットデータの受信再生は、連続パケットデータの先頭パケットから受信再生するため、該先頭パケットが届く時刻ｔ２まで待ち続ける必要が生じる。即ち、受信開始時刻ｔ１から先頭パケット到着時刻ｔ２までの時間（ｔ２−ｔ１）が待ち受け状態となってしまい、その分、通信時間が延長されてしまう。
【０００６】
上記先頭パケットの待ち受けによる通信時間の延長は、一かたまりの情報伝送に必要なパケット数が増加するに伴って、その影響は大きなものとなり、特に、通信開始時刻が第２番目のパケットの送出中であった場合、最後の第ｎ番目のパケットが送出し終わるまで待機するため、全パケットデータを受信し終わるまでに２倍近い通信時間が掛かってしまい、受信再生のレスポンスが遅れるとともに、その分余分な通信料金が課せられてしまうという問題があった。
【０００７】
本発明は、繰り返し同報データの待ち受け時間を短縮して全体の通信時間を短縮し、該同報データの受信再生レスポンスを早め、余分な通信料金が無駄に課せられるのを防ぐことができる同報通信システム及びその受信装置を提供することを目的とする。
【０００８】
【課題を解決するための手段】
本発明の同報通信システムは、（１）送信装置から一かたまりの同報データを複数のパケットに分割して繰り返し送信し、受信装置で該パケットを受信し、その同報データを先頭部分から再生して出力する同報通信システムにおいて、前記送信装置は、前記一かたまりの同報データを構成する全パケット数及び各パケットが搭載する分割同報データの順番を示すパケット番号を含むパケット情報を各パケットに付加するパケット情報付加部を備え、前記受信装置は、前記送信装置から受信したパケットから、パケット番号を含むパケット情報を抽出するパケット情報処理部と、該パケット情報を基に、受信した同報データの並び替えを行う並べ替え処理部とを備えたものである。
【０００９】
また、（２）前記送信装置は、前記各パケットに誤り検出符号を付加する誤り検出符号付加部を備え、前記受信装置は、受信した各パケットから該誤り検出符号を抽出し、該誤り検出符号を基に前記パケット情報の誤りを検出する誤り検出部を備えたものである。
【００１０】
また、（３）前記送信装置は、誤り訂正符号により符号化する誤り訂正符号化部を備え、前記受信装置は、該誤り訂正符号の復号化により誤り訂正を行う誤り訂正復号化部を備えたものである。
【００１１】
また、本発明の同報通信システムの受信装置は、（４）送信装置から複数のパケットに分割して繰り返し送信される一かたまりの同報データを受信し、該同報データを先頭部分から再生して出力する受信装置において、受信した各パケットから、前記一かたまりの同報データを構成する全パケット数及び該パケットが搭載する分割同報データの順番を示すパケット番号を含むパケット情報を抽出するパケット情報処理部と、該パケット情報を基に、受信した同報データの並び替えを行う並べ替え処理部とを備えたものである。
【００１２】
また、（５）前記受信装置は、前記並び替えを行った同報データを一時記憶するメモリと、該メモリから読み出した該同報データに基づいて、該受信装置を含む送受信装置の機能構成又は設定パラメータを変更する機能設定制御部を備えたものである。
【００１３】
【発明の実施の形態】
図１に本発明の連続パケットデータ通信システムの基本構成例を示す。同図において送信側を無線基地局、受信側を移動通信端末としたパケットデータ通信システムとして説明するが、Ｂｌｕｅｔｏｏｔｈ（登録商標）又は無線ＬＡＮ等により信号を送受する通信システムや、Ｗ−ＣＤＭＡ（Ｗｉｄｅ　ｂａｎｄ　Ｃｏｄｅ　Ｄｉｖｉｓｉｏｎ　Ｍｕｌｔｉｐｌｅ　Ａｃｃｅｓｓ）方式、ＰＤＣ（Ｐｅｒｓｏｎａｌ　Ｄｉｇｉｔａｌ　Ｃｅｌｌｕｌａｒ）方式又はＧＳＭ（Ｇｌｏｂａｌ　Ｓｙｓｔｅｍ　ｆｏｒ　Ｍｏｂｉｌｅ　ｃｏｍｍｕｎｉｃａｔｉｏｎｓ）方式による移動体通信システム等に適用可能である。
【００１４】
図１に示すように基地局１−１０は、パケット生成部１−１１、パケット情報付加部１−１２、変調部１−１３及びアンテナ１−１４を備える。パケット生成部１−１１は、伝送する一かたまりの情報データを複数個のパケットに分割し、各分割データを格納したパケットを生成する。ここで、一かたまりの情報データがｎ個のパケットに分割されたものとする。
【００１５】
パケット情報付加部１−１２では、生成されたｎ個の各パケットの内部に、一かたまりの情報データを構成する全パケット数ｎ及び当該パケットが何番目の情報データを格納したパケットであるかを示すパケット番号ｍを含むパケット情報を追加する。
【００１６】
パケット情報付加部１−１２で全パケット数ｎ及びパケット番号ｍのパケット情報が付加されたｎ個のパケットは、ブロードキャスト等のデータ伝送方式により多数の端末宛てのデータとして送出され、変調部１−１３で無線信号に変調されアンテナ１−１４からパケット番号順に送信され、かつ、同一のｎ個の情報データパケットが繰り返し連続的に送信される。
【００１７】
移動端末１−２０は、アンテナ１−２１、復調部１−２２、パケット情報処理部１−２３及び並べ替え処理部１−２４を備え、アンテナ１−２１から受信した信号を復調部１−２２で復調し、復調した各パケットからパケット情報処理部１−２３で全パケット数ｎ及びパケット番号ｍを含むパケット情報を抽出し、並べ替え処理部１−２４で該パケット番号ｍを基に、ｎ個の受信パケットを順番に並べ替える。
【００１８】
今、特定のエリアにおいて、音声ガイダンスや説明文等のデータを基地局から繰り返し同報送信（ブロードキャスト）しているものとする。このとき、例えば図６のようにデータ長が長く、ｎ個のパケットによる伝送を必要とし、第１番目から第ｎ番目まで昇順でパケットが送信されるものとする。
【００１９】
基地局からは図２の（ａ）に示すように、各パケット１，２，…のパケットデータに、全パケット数及びパケット番号（何番目のパケットかの指標）を示すパケット情報を付加して送信する。ここで、図２の（ｂ）に示すように、第ｍ番目のパケットの送信時刻ｔ１に移動端末が受信開始状態になったとする。
【００２０】
このとき移動端末は、第１番目のパケットが到来するまで待ち受け状態を保持することなく、第ｍ番目のパケットから最後のｎ番目のパケットまで順次受信する。続いて第１番目から第（ｍ−１）番目までのパケットを受信する。移動端末は、これらの受信パケットをメモリ等に保持し、各パケットに挿入されたパケット情報のパケット番号を基に、図２（ｃ）に示すように第１番目のパケットデータから第ｎ番目のパケットデータまで順番に並ぶように並べ替えを行って受信データとする。
【００２１】
この際、パケット番号等を含むパケット情報を除いてパケットデータの結合を行い、復調再生する。こうすることにより、先頭パケットが到来する時刻ｔ２までの待ち受け時間（ｔ２−ｔ１）が無くなるため、通信時間を短縮することができる。
【００２２】
なお、この実施形態において、各パケットの長さ（データ長）は一定長であっても良いし、可変長でもあっても良い。また、図２（ａ）にはパケット番号等のパケット情報をパケットの先頭部に配置した例を示しているが、パケット情報はパケットのどこに配置しても良い。
【００２３】
図３は誤り検出機能を付加した本発明の実施形態を示す。この実施形態は図１の基本構成例の基地局１−１０におけるパケット情報付加部１−１２の後段に、ＣＲＣ（Ｃｙｃｌｉｃ　Ｒｅｄｕｎｄａｎｃｙ　Ｃｈｅｃｋ）符号等の誤り検出符号付加部３−１を設け、移動端末１−２０においてパケット情報処理部１−２３の前段に誤り検出部３−２を設けたものである。
【００２４】
この実施形態で送受される各パケット１，パケット２，…には、同図に示すようにＣＲＣ符号等の誤り検出符号３−３が付加され、受信側の移動端末１−２０では該誤り検出符号３−３を基に、パケット番号を含むパケット情報の誤り検出を行う。そして、誤りが検出された場合、誤りの有ったパケットを再受信することにより、パケットデータを結合する際の誤りを低減することができる。
【００２５】
図４は上記の誤り検出機能を有する実施形態に、更に、誤り訂正機能を付加した実施形態を示す。同図に示すように、基地局１−１０において，誤り検出符号部３−１の後段に誤り訂正符号化部４−１を設け、誤り検出符号部３−１によるＣＲＣ等の誤り検出符号を付加した後に、誤り訂正符号化部４−１において畳み込み符号やターボ符号等の誤り訂正符号により符号化を行う。
【００２６】
移動端末１−２０では誤り訂正復号部４−２において、上記誤り訂正符号を用いて復号を行い、受信データの誤り訂正を行う。こうすることにより、パケット情報及びパケットデータの誤り率が改善され、また、パケットデータを結合する際の誤りを低減することができる。
【００２７】
なお、図４において、基地局１−１０と移動端末１−２０との間で、ＣＤＭＡ方式による伝送を行うため、基地局１−１０の変調部１−１３の後段に拡散部１−１５を備え、移動端末１−２０の復調部１−２２の前段に逆拡散部１−２５を備えた構成例を示している。
【００２８】
図５は無線機自体の機能設定を変更する実施形態の構成例を示す。これまでの実施形態は、音声ガイダンス等の同報データを伝送する実施形態であったが、図５に示す実施形態は、外部又は内部のメモリに記憶保持された機能設定情報を読み出して、無線機内部の機能構成や各種設定情報（例えば、送受する信号の変復調方式、受信方式又は各種パラメータ等）を変更する無線機に適用した実施形態である。
【００２９】
この無線機における送受信部５−１内の各機能部は、ＤＳＰ（Ｄｉｇｉｔａｌ　ＳｉｇｎａｌＰｒｏｃｅｓｓｏｒ）やＦＰＧＡ（Ｆｉｅｌｄ　Ｐｒｏｇｒａｍｍａｂｌｅ　Ｇａｔｅ　Ａｒｒａｙ）等の論理機能部によって構成され、外部又は内部のメモリに記憶保持された設定情報やプログラム等の機能設定変更データを読み出して該論理機能部の設定を変更し、例えば、ＱＰＳＫ変調方式による通信機能をＷ−ＣＤＭＡ直接拡散方式の通信機能へと変更するなど、移動端末の機種を変更したり、放送受信バンドを変更したりすることができる。
【００３０】
送受信部５−１は、送信側から繰り返し送信される無線機の設定情報又はプログラム等の機能設定変更データである連続パケットデータを、前述の実施形態と同様の受信手段によって受信し、当該無線機器の機能設定変更データをメモリ５−２に格納する。なお、上述の送受信部５−１における無線周波数とは異なる周波数を用い、専用の受信部を設けて該機能設定変更データを受信する構成とすることも可能である。
【００３１】
上記メモリ５−２に格納された機能設定変更データは、送受信部設定制御部５−３に送出され、送受信部設定制御部５−３は、該機能設定変更データに従って、送受信部５−１内の変更可能な各種機能部の設定又は機能構成を変更する。このように、必要な機能設定変更データをダウンロードして無線機の機能や設定を変更することにより、１台の無線機を多種多様の通信や放送受信に使用することができる。
【００３２】
【発明の効果】
以上説明したように、本発明によれば、繰り返し送信される連続パケットデータを受信し、その情報を先頭部分から再生出力する際に、先頭のパケットが到来する時刻まで待ち受けることなく、受信開始時の到来パケットを直ちに受信し、全パケット受信後にパケット番号を基に並べ替えを行って先頭部分から再生出力することにより、先頭のパケットが到来するまでの待ち受け時間分、通信時間を短縮することができる。
【００３３】
また、上記並べ替えを行うためのパケット番号を含むパケット情報の挿入と共に、誤り検出符号を付加し、更に誤り訂正符号を用い、受信側で誤り検出又は誤り訂正を行うことにより、パケットデータを並べ替えて結合する際の誤りを低減することができる。
【００３４】
また、無線機の機能設定変更データをダウンロードして該無線機の機能や設定を変更する際に、該機能設定変更データの先頭のパケットが到来する時刻までの待ち受けることなく直ちに受信を開始して全パケット受信後に該データの並べ替えを行うことにより、無線機の機能設定変更データの受信を短時間で行うことができ、高速に機能設定変更を行うことができる。
【図面の簡単な説明】
【図１】本発明の連続パケットデータ通信システムの基本構成例を示す図である。
【図２】本発明によるパケット情報を付加したパケット及びパケットの並び替えを示す図である。
【図３】誤り検出機能を付加した本発明の実施形態を示す図である。
【図４】誤り訂正機能を付加した本発明の実施形態を示す図である。
【図５】無線機の機能設定を変更する本発明の実施形態を示す図である。
【図６】繰り返し送信される連続パケットデータを受信再生する従来例の説明図である。
【符号の説明】
１−１０　基地局
１−１１　パケット生成部
１−１２　パケット情報付加部
１−１３　変調部
１−１４　アンテナ
１−２０　移動端末
１−２１　アンテナ
１−２２　復調部
１−２３　パケット情報処理部
１−２４　並べ替え処理部
【図１】
2004015581.tif 000003
【図２】
2004015581.tif 000004
【図３】
2004015581.tif 000005
【図４】
2004015581.tif 000006
【図５】
2004015581.tif 000007
【図６】
2004015581.tif 000008